(57)【要約】【課題】  ウェブページ検索の利便性を向上させる技術を提供する。【解決手段】  ネットワークシステム１０において、検索ページＷＰｒに組み込まれた際にクライアント４０のユーザに認識させることが可能な画像データＧｓｐが組み込まれた検索用ウェブページＷＰｓをウェブサーバ２０に格納し、検索エンジン３０からウェブサーバ２０に対する提供要求に応じて検索用ウェブページＷＰｓを検索エンジン３０に提供し、提供された検索用ウェブページＷＰｓと、ウェブページへのリンク情報Ｌｋとが組み込まれた検索ページＷＰｒを生成し、検索ページＷＰｒを検索エンジン３０からクライアント４０に提供する【選択図】  図３
2007072893.tif 000002
【特許請求の範囲】
【請求項１】
広域ネットワークを介してクライアントコンピュータにウェブページを提供するウェブサーバコンピュータと、前記広域ネットワークを介して前記クライアントコンピュータに前記ウェブページの所在を検索するための検索ページを提供する検索エンジンコンピュータとを備えるネットワークシステムであって、
前記検索ページに組み込まれた際に前記ウェブページとの関連性を前記クライアントコンピュータのユーザに認識させることが可能な画像データが組み込まれた検索用ウェブページを、前記ウェブサーバコンピュータに格納する手段と、
前記検索ページに前記ウェブページの検索結果として表示するためのデータについての前記検索エンジンコンピュータから前記ウェブサーバコンピュータに対する提供要求に応じて、前記ウェブサーバコンピュータに格納されている検索用ウェブページを前記検索エンジンコンピュータに提供する手段と、
前記検索ページとして、前記提供された検索用ウェブページを含む表示を前記クライアントコンピュータ側で実現させるデータを前記検索エンジンコンピュータから前記クライアントコンピュータに提供する手段と
を備えるネットワークシステム。
【請求項２】
前記提供要求は、前記検索結果として表示するためのデータとして前記ウェブページの提供を要求するものである請求項１記載のネットワークシステム。
【請求項３】
請求項１記載のネットワークシステムであって、更に、
前記検索用ウェブページが前記ウェブサーバコンピュータに格納されているか否かを判断する手段と、
前記検索用ウェブページが前記ウェブサーバコンピュータに格納されていると判断された場合に、前記提供要求として、前記検索用ウェブページの提供を前記検索エンジンコンピュータから前記ウェブサーバコンピュータに対して要求する手段と
を備えるネットワークシステム。
【請求項４】
請求項１ないし３のいずれか記載のネットワークシステムであって、更に、
前記ウェブページよりもデータ量の少ない代替ウェブページを前記ウェブサーバコンピュータに格納する手段と、
前記クライアントコンピュータへの提供に適するウェブページとして、前記クライアントコンピュータの画像表示機能に応じて前記ウェブページおよび前記代替ウェブページの一方を選択する手段と、
前記クライアントコンピュータから前記ウェブサーバコンピュータに対する前記ウェブページの提供要求に応じて、前記選択されたウェブページを前記ウェブサーバコンピュータから前記クライアントコンピュータに提供する手段と
を備えるネットワークシステム。
【請求項５】
前記検索用ウェブページには、前記ウェブページを検索するためのキーワードとなるメタ登録情報が組み込まれている請求項１ないし４のいずれか記載のネットワークシステム。
【請求項６】
広域ネットワークを介してクライアントコンピュータにウェブページを提供するウェブサーバコンピュータであって、
前記広域ネットワークを介して前記クライアントコンピュータに前記ウェブページの所在を検索するための検索ページを提供する検索エンジンコンピュータからのアクセスと、前記クライアントコンピュータからのアクセスとを識別する手段と、
前記検索ページに組み込まれた際に前記ウェブページとの関連性を前記クライアントコンピュータのユーザに認識させることが可能な画像データが組み込まれた検索用ウェブページを格納する手段と、
前記検索ページに前記ウェブページの検索結果として表示するためのデータについての前記検索エンジンコンピュータからの提供要求に応じて、前記格納されている検索用ウェブページを前記検索エンジンコンピュータに提供する手段と
を備えるウェブサーバコンピュータ。
【請求項７】
請求項６記載のウェブサーバコンピュータであって、更に、
前記ウェブページよりもデータ量の少ない代替ウェブページを格納する手段と、
前記クライアントコンピュータへの提供に適するウェブページとして、前記クライアントコンピュータの画像表示機能に応じて前記ウェブページおよび前記代替ウェブページの一方を選択する手段と、
前記クライアントコンピュータからの前記ウェブページの提供要求に応じて、前記選択されたウェブページを前記クライアントコンピュータに提供する手段と
を備えるウェブサーバコンピュータ。
【請求項８】
広域ネットワークを介してクライアントコンピュータにウェブページの所在を検索するための検索ページを提供する検索エンジンコンピュータであって、
前記広域ネットワークを介して前記クライアントコンピュータに前記ウェブページを提供するウェブサーバコンピュータに、前記検索ページに組み込まれた際に前記ウェブページとの関連性を前記クライアントコンピュータのユーザに認識させることが可能な画像データが組み込まれた前記検索用ウェブページが格納されているか否かを判断する手段と、
前記検索用ウェブページが前記ウェブサーバコンピュータに格納されていると判断された場合に、前記検索用ウェブページの提供を前記ウェブサーバコンピュータに要求する手段と、
前記提供を要求されたウェブサーバコンピュータから前記検索用ウェブページを取得する手段と、
前記検索ページとして、前記取得された検索用ウェブページを含む表示を前記クライアントコンピュータ側で実現させるデータを前記クライアントコンピュータに提供する手段と
を備える検索エンジンコンピュータ。
【請求項９】
広域ネットワークを介してクライアントコンピュータにウェブページを提供するウェブサーバコンピュータと、前記広域ネットワークを介して前記クライアントコンピュータに前記ウェブページの所在を検索するための検索ページを提供する検索エンジンコンピュータとを用いて、前記クライアントコンピュータによる前記ウェブページの検索および閲覧を実現する方法であって、
前記検索ページに組み込まれた際に前記ウェブページとの関連性を前記クライアントコンピュータのユーザに認識させることが可能な画像データが組み込まれた検索用ウェブページを、前記ウェブサーバコンピュータに格納し、
前記検索ページに前記ウェブページの検索結果として表示するためのデータについての前記検索エンジンコンピュータから前記ウェブサーバコンピュータに対する提供要求に応じて、前記ウェブサーバコンピュータに格納されている検索用ウェブページを前記検索エンジンコンピュータに提供し、
前記検索ページとして、前記提供された検索用ウェブページを含む表示を前記クライアントコンピュータ側で実現させるデータを前記検索エンジンコンピュータから前記クライアントコンピュータに提供する
方法。
【請求項１０】
広域ネットワークを介してクライアントコンピュータにウェブページを提供する機能をウェブサーバコンピュータに実現させるためのプログラムであって、
前記広域ネットワークを介して前記クライアントコンピュータに前記ウェブページの所在を検索するための検索ページを提供する検索エンジンコンピュータからのアクセスと、前記クライアントコンピュータからのアクセスとを識別する機能と、
前記検索ページに組み込まれた際に前記ウェブページとの関連性を前記クライアントコンピュータのユーザに認識させることが可能な画像データが組み込まれた検索用ウェブページを格納する機能と、
前記検索ページに前記ウェブページの検索結果として表示するためのデータについての前記検索エンジンコンピュータからの提供要求に応じて、前記格納されている検索用ウェブページを前記検索エンジンコンピュータに提供する機能と
を実現させるプログラム。
【請求項１１】
広域ネットワークを介してクライアントコンピュータにウェブページの所在を検索するための検索ページを提供する機能を検索エンジンコンピュータに実現させるためのプログラムであって、
前記広域ネットワークを介して前記クライアントコンピュータに前記ウェブページを提供するウェブサーバコンピュータに、前記検索ページに組み込まれた際に前記ウェブページとの関連性を前記クライアントコンピュータのユーザに認識させることが可能な画像データが組み込まれた前記検索用ウェブページが格納されているか否かを判断する機能と、
前記検索用ウェブページが前記ウェブサーバコンピュータに格納されていると判断された場合に、前記検索用ウェブページの提供を前記ウェブサーバコンピュータに要求する機能と、
前記提供を要求されたウェブサーバコンピュータから前記検索用ウェブページを取得する機能と、
前記検索ページとして、前記取得された検索用ウェブページを含む表示を前記クライアントコンピュータ側で実現させるデータを前記クライアントコンピュータに提供する機能と
を実現させるプログラム。
【発明の詳細な説明】
【技術分野】
【０００１】
本発明は、ウェブページを提供するための技術に関し、詳しくは、検索エンジンを利用してウェブページを提供するための技術に関する。
【背景技術】
【０００２】
従来、検索エンジンを利用して広域ネットワーク（インターネット）上のウェブページを検索する際の利便性を高めるために、ウェブページの検索結果として、ウェブページへのリンクと共に、ウェブページの縮小画像を提供する技術が実用化されている。下記特許文献１には、ウェブページの縮小画像を検索ページに組み込む技術が開示されている。
【０００３】
【特許文献１】特開２００１−１３４５１６号公報
【発明の開示】
【発明が解決しようとする課題】
【０００４】
しかしながら、従来の技術では、ウェブページの検索結果として検索ページに表示される縮小画像は、ウェブページをそのまま縮小した画像であるため、その縮小画像に含まれる文字や画像は認識し難く、必ずしも検索の利便性を向上させるとは限らないという問題があった。
【０００５】
本発明は、上記した課題を踏まえ、ウェブページ検索の利便性を向上させる技術を提供することを目的とする。
【課題を解決するための手段】
【０００６】
上記した課題を解決するため、本発明のネットワークシステムは、広域ネットワークを介してクライアントコンピュータにウェブページを提供するウェブサーバコンピュータと、広域ネットワークを介してクライアントコンピュータにウェブページの所在を検索するための検索ページを提供する検索エンジンコンピュータとを備えるネットワークシステムであって、検索ページに組み込まれた際にウェブページとの関連性をクライアントコンピュータのユーザに認識させることが可能な画像データが組み込まれた検索用ウェブページを、ウェブサーバコンピュータに格納する手段と、検索ページにウェブページの検索結果として表示するためのデータについての検索エンジンコンピュータからウェブサーバコンピュータに対する提供要求に応じて、ウェブサーバコンピュータに格納されている検索用ウェブページを検索エンジンコンピュータに提供する手段と、検索ページとして、提供された検索用ウェブページを含む表示をクライアントコンピュータ側で実現させるデータを検索エンジンコンピュータからクライアントコンピュータに提供する手段とを備えることを特徴とする。
【０００７】
本発明のネットワークシステムによれば、クライアントコンピュータのユーザにウェブページとの関連性を認識させることが可能な画像データがウェブページの検索結果として検索ページに表示されるため、検索エンジンを利用したウェブページ検索の利便性を向上させることができる。
【０００８】
本発明のネットワークシステムは、以下の態様を採ることもできる。提供要求は、検索結果として表示するためのデータとしてウェブページの提供を要求するものであっても良い。これによって、検索エンジンコンピュータからの提供要求がウェブページの提供を要求するものであっても、要求されたウェブページの代わりに検索用ウェブページを検索エンジンコンピュータに提供することができる。
【０００９】
また、更に、検索用ウェブページがウェブサーバコンピュータに格納されているか否かを判断する手段と、検索用ウェブページがウェブサーバコンピュータに格納されていると判断された場合に、提供要求として、検索用ウェブページの提供を検索エンジンコンピュータからウェブサーバコンピュータに対して要求する手段とを備えても良い。これによって、検索用ウェブページの提供を検索エンジンコンピュータからウェブサーバコンピュータに対して積極的に要求することができる。
【００１０】
また、更に、ウェブページよりもデータ量の少ない代替ウェブページをウェブサーバコンピュータに格納する手段と、クライアントコンピュータへの提供に適するウェブページとして、クライアントコンピュータの画像表示機能に応じてウェブページおよび代替ウェブページの一方を選択する手段と、クライアントコンピュータからウェブサーバコンピュータに対するウェブページの提供要求に応じて、選択されたウェブページをウェブサーバコンピュータからクライアントコンピュータに提供する手段とを備えても良い。これによって、クライアントコンピュータの画像表示機能に適したウェブページをウェブサーバコンピュータからクライアントコンピュータに提供することができる。
【００１１】
また、前記検索用ウェブページには、前記ウェブページを検索するためのキーワードとなるメタ登録情報が組み込まれていても良い。これによって、キーワードによる検索結果として検索用ウェブページが組み込まれた検索ページをクライアントコンピュータに提供することができる。
【００１２】
上記した課題を解決するため、本発明のウェブサーバコンピュータの発明は、広域ネットワークを介してクライアントコンピュータにウェブページを提供するウェブサーバコンピュータであって、広域ネットワークを介してクライアントコンピュータにウェブページの所在を検索するための検索ページを提供する検索エンジンコンピュータからのアクセスと、クライアントコンピュータからのアクセスとを識別する手段と、検索ページに組み込まれた際にウェブページとの関連性をクライアントコンピュータのユーザに認識させることが可能な画像データが組み込まれた検索用ウェブページを格納する手段と、検索ページにウェブページの検索結果として表示するためのデータについての検索エンジンコンピュータからの提供要求に応じて、格納されている検索用ウェブページを検索エンジンコンピュータに提供する手段とを備えることを特徴とする。
【００１３】
本発明のウェブサーバコンピュータによれば、検索ページにウェブページの検索結果として表示するためのデータとして、検索ページへの検索結果の表示に適した検索用ウェブページを検索エンジンコンピュータに提供することができる。
【００１４】
本発明のウェブサーバコンピュータは、更に、ウェブページよりもデータ量の少ない代替ウェブページを格納する手段と、クライアントコンピュータへの提供に適するウェブページとして、クライアントコンピュータの画像表示機能に応じてウェブページおよび代替ウェブページの一方を選択する手段と、クライアントコンピュータからのウェブページの提供要求に応じて、選択されたウェブページを前記クライアントコンピュータに提供する手段とを備える態様を採ることもできる。これによって、クライアントコンピュータの画像表示機能に適したウェブページをウェブサーバコンピュータからクライアントコンピュータに提供することができる。
【００１５】
上記した課題を解決するため、本発明の検索エンジンコンピュータの発明は、広域ネットワークを介してクライアントコンピュータにウェブページの所在を検索するための検索ページを提供する検索エンジンコンピュータであって、広域ネットワークを介してクライアントコンピュータにウェブページを提供するウェブサーバコンピュータに、検索ページに組み込まれた際にウェブページとの関連性をクライアントコンピュータのユーザに認識させることが可能な画像データが組み込まれた検索用ウェブページが格納されているか否かを判断する手段と、検索用ウェブページがウェブサーバコンピュータに格納されていると判断された場合に、検索用ウェブページの提供をウェブサーバコンピュータに要求する手段と、提供を要求されたウェブサーバコンピュータから検索用ウェブページを取得する手段と、検索ページとして、取得された検索用ウェブページを含む表示を前記クライアントコンピュータ側で実現させるデータを前記クライアントコンピュータに提供する手段とを備えることを特徴とする。
【００１６】
本発明の検索エンジンコンピュータによれば、検索用ウェブページをウェブサーバコンピュータから積極的に取得し、取得された検索用ウェブページを検索ページに組み込むことによって、ウェブページ検索の利便性を向上させた検索ページをクライアントコンピュータに提供することができる。
【００１７】
なお、本発明の態様は、ネットワークシステム，ウェブサーバコンピュータ，検索エンジンコンピュータの態様に限るものではなく、ウェブサーバコンピュータおよび検索エンジンコンピュータを用いてクライアントコンピュータによるウェブページの検索および閲覧を実現する方法や、ウェブページを提供する機能をウェブサーバコンピュータに実現させるためのプログラム、検索ページを提供する機能を検索エンジンコンピュータに実現させるためのプログラムなどの種々の態様に適用することができる。
【発明を実施するための最良の形態】
【００１８】
以上説明した本発明の構成および作用を一層明らかにするために、以下本発明を適用したネットワークシステムについて説明する。
【００１９】
Ａ．ネットワークシステム１０の構成：
図１は、ネットワークシステム１０の構成を示す説明図である。本発明の実施例の一つであるネットワークシステム１０には、広域ネットワークであるインターネット５０に接続された種々のクライアントコンピュータ（以下、クライアントという。）４０と、インターネット５０を介してクライアント４０にウェブページを提供する複数のウェブサーバコンピュータ（以下、ウェブサーバという。）２０と、インターネット５０を介してクライアント４０にウェブページの所在を検索するための検索ページを提供する検索エンジンコンピュータ（以下、検索エンジンという。）３０とを備える。なお、本実施例では、広域ネットワークの代表的な例としてインターネット５０を想定しているが、公衆によって参加可能なネットワークであれば、他の形態のネットワークを用いて本発明を実現することも可能である。
【００２０】
ネットワークシステム１０のウェブサーバ２０は、インターネット５０に接続されたネットワークサーバコンピュータである。ウェブサーバ２０は、種々の演算処理を実行するセントラルプロセッシングユニット（Central Processing Unit、以下、ＣＰＵという。）２１０と、ＣＰＵ２１０が実行する初期プログラムを記憶するリードオンリメモリ（Read Only Memory、以下、ＲＯＭという）２２０と、主記憶装置として機能するランダムアクセスメモリ（Random Access Memory、以下、ＲＡＭという）２３０と、ウェブページを提供するための種々のプログラムやデータを記憶するハードディスクドライブ（Hard Disk Drive、以下、ＨＤＤという）２４０と、インターネット５０や外部機器などとのデータの入出力を行うインタフェース（以下、Ｉ／Ｆという）２５０とを備える。
【００２１】
ウェブサーバ２０は、電源が投入されると、ＲＯＭ２２０に記憶された初期プログラムに従ってＨＤＤ２４０からオペレーティングシステムをロードする。その後、ウェブサーバ２０は、オペレーティングシステムによる制御に移行し、周知のウェブサイト運用機能を有するプログラムを起動して、ＨＤＤ２４０に記憶されているウェブページをインターネット５０上に公開する。ウェブサーバ２０には、インターネット５０上においてウェブサーバ２０を特定するためのグローバルアドレスが付与されており、グローバルアドレスは、ＴＣＰ／ＩＰプロトコルにおけるＩＰアドレスである。ウェブサーバ２０は、インターネット５０を介してＨＴＴＰプロトコルによるウェブページの提供要求を受け取ると、ＨＴＴＰプロトコル形式のウェブページデータをＴＣＰ／ＩＰプロトコルに従う形式で要求元に対して送信する。ウェブサーバ２０の管理者は、Ｉ／Ｆ２５０に直接的に接続された管理コンピュータ（図示しない）や、インターネット５０を介してＩ／Ｆ２５０に接続された管理コンピュータ（図示しない）を用いてウェブページを管理し、ＨＤＤ２４０に記憶されているウェブページのデータは、ウェブサーバ２０の管理者の指示に基づいて格納され更新される。ウェブサーバ２０のＨＤＤ２４０に記憶されているウェブページのデータの詳細については後述する。
【００２２】
ネットワークシステム１０の検索エンジン３０は、インターネット５０に接続されたネットワークサーバコンピュータである。検索エンジン３０は、種々の演算処理を実行するＣＰＵ３１０と、ＣＰＵ３１０が実行する初期プログラムを記憶するＲＯＭ３２０と、主記憶装置として機能するＲＡＭ３３０と、ウェブページ検索のための種々のプログラムやデータを記憶するＨＤＤ３４０と、インターネット５０や外部機器などとのデータの入出力を行うＩ／Ｆ３５０とを備える。
【００２３】
検索エンジン３０は、電源が投入されると、ＲＯＭ３２０に記憶された初期プログラムに従ってＨＤＤ３４０からオペレーティングシステムをロードする。その後、検索エンジン３０は、オペレーティングシステムによる制御に移行し、検索データベースを作成するために周知の検索クローラ機能を有するプログラムを起動してインターネット５０上のウェブページを回収すると共に、周知の検索サイト運用機能を有するプログラムを起動して検索サイトをインターネット５０上に提供する。検索エンジン３０には、インターネット５０上において検索エンジン３０を特定するためのグローバルアドレスが付与されており、グローバルアドレスは、ＴＣＰ／ＩＰプロトコルにおけるＩＰアドレスである。検索エンジン３０は、インターネット５０を介してＨＴＴＰプロトコルによる検索要求を受け取ると、検索データベースに基づいてウェブページを検索した後、検索結果を示す検索ページとしてＨＴＴＰプロトコル形式のウェブページをＴＣＰ／ＩＰプロトコルに従う形式で要求元に対して送信する。
【００２４】
クライアント４０は、ＣＰＵ,ＲＯＭ,ＲＡＭ,ＨＤＤ，Ｉ／Ｆ（図示しない）などに加え、マウスやキーボード，ボタンなどユーザからの入力を受け付けるユーザインタフェース（図示しない）や、ウェブページを表示可能な画像表示部４２を備える周知のコンピュータである。クライアント４０は、デスクトップパソコンやノートパソコン，携帯電話端末，ＰＤＡ(Personal Digital Assistance)など種々の形態および種々の機種のものがあり、その機種に応じて画像表示部４２の画像表示能力は異なる。画像表示能力の相違として、例えば、画像を表示可能な画像表示領域の大きさについては、デスクトップパソコンでは「１２８０×１０２４ピクセル」程度であるのに対し、携帯電話端末では「３２０×２４０ピクセル」程度である。クライアント４０をインターネット５０に接続する形態には、専用線や電話回線，光ファイバ網，有線ローカルエリアネットワークなど有線で接続する形態や、携帯電話回線や無線ローカルエリアネットワークなどの基地局４５を介して無線で接続する形態など種々のものがある。クライアント４０には、オペレーティングシステムの他、インターネット５０上のウェッブページを閲覧するためのブラウザなどの種々のアプリケーション・ソフトウェアがインストールされている。
【００２５】
図２は、ウェブサーバ２０のＨＤＤ２４０に記憶されているウェブページのデータの構成を示す説明図である。ウェブサーバ２０のＨＤＤ２４０には、ウェブサイトを構成する種々のデータが格納されたウェブサイトフォルダ７００がウェブサイト毎に記憶されている。ウェブサイトフォルダ７００には、比較的に画像表示領域の大きな画像表示部４２を有するクライアント４０向けに作成されたＰＣ用ウェブページＷＰａを構成するＰＣ用データ７１０と、比較的に画像表示領域の小さな画像表示部４２を有するクライアント４０向けに作成された携帯用ウェブページＷＰｂを構成する携帯用データ７２０と、ＰＣ用ウェブページＷＰａや携帯用ウェブページＷＰｂとの関連性を有する画像データＧｓｐが組み込まれた検索用ウェブページＷＰｓを構成する検索用データ７３０とが格納されている。検索用ウェブページＷＰｓは、検索エンジン３０によって検索ページに組み込まれた際にクライアント４０のユーザに画像データＧｓｐを認識させることが可能な大きさで構成されている。検索用ウェブページＷＰｓには、画像データＧｓｐの他、ＰＣ用ウェブページＷＰａや携帯用ウェブページＷＰｂをインターネット５０上から検索するためのキーワードとなるメタ登録情報Ｉｍｔが組み込まれている。例えば、画像データＧｓｐとして、ＰＣ用ウェブページＷＰａや携帯用ウェブページＷＰｂで紹介されている店舗の地図画像を用い、メタ登録情報Ｉｍｔとして、ＰＣ用ウェブページＷＰａや携帯用ウェブページＷＰｂで紹介されている店舗のサービス名や住所などを用いることができる。
【００２６】
図２に示したウェブサイトフォルダ７００の例では、ＰＣ用ウェブページＷＰａは、店舗を紹介するためのウェブページとして構成され、携帯用ウェブページＷＰｂは、ＰＣ用ウェブページＷＰａの内容を簡略化することによってＰＣ用ウェブページＷＰａよりもデータ量および表示領域を小さくしたウェブページとして構成され、検索用ウェブページＷＰｓは、その表示領域のほぼ全てを画像データＧｓｐで占める大きさのウェブページとして構成されている。本実施例では、検索用ウェブページＷＰｓに組み込まれている画像データＧｓｐは、ＰＣ用ウェブページＷＰａや携帯用ウェブページＷＰｂに組み込まれているものと同じものが用いられているが、検索用ウェブページＷＰｓに専用のものを組み込むこととしても良いし、文字情報を組み込むこととしても良い。
【００２７】
Ｂ．ネットワークシステム１０の動作：
図３は、ネットワークシステム１０の動作を示す説明図である。本発明のネットワークシステム１０では、実際には、ウェブサーバ２０，検索エンジン３０，クライアント４０の各間の情報のやり取りは、インターネット５０を介して実行されるものであるが、本発明の理解を容易なものとするため、図３では、ウェブサーバ２０，検索エンジン３０，クライアント４０の各間で実行されるインターネット５０上のやり取りを省略して各間の処理の様子を簡略化して示すこととしている。
【００２８】
（１）．検索エンジン３０からウェブサーバ２０に対するウェブページの要求：
検索エンジン３０は、検索クローラプログラムに従って、ウェブサーバ２０に対してＰＣ用ウェブページＷＰａや携帯用ウェブページＷＰｂを要求する。検索エンジン３０によるウェブページの要求は、定期的に実行することとしても良いし、検索エンジン３０の管理者の指示に基づいて実行することとしても良い。
【００２９】
（２）．ウェブサーバ２０から検索エンジン３０に対する検索用データの提供：
ウェブページの要求を受けたウェブサーバ２０は、ウェブページの要求と共に提示された要求元の素性を示すユーザエージェント情報に基づいて、要求元が検索エンジン３０であるのか否かを判別する。なお、要求元の素性については、ウェブページの要求と共に提示されるＩＰアドレスやＭＡＣアドレスなどの要求元を特定可能な情報に基づいて判別することとしても良い。
【００３０】
ウェブサーバ２０は、要求元が検索エンジン３０であると判別すると、要求されたウェブページと同じウェブサイトフォルダ７００に格納されている検索用ウェブページＷＰｓのデータである検索用データ７３０を検索エンジン３０に提供する。検索用データ７３０の提供を受けた検索エンジン３０は、取得した検索用データ７３０を、ＰＣ用ウェブページＷＰａや携帯用ウェブページＷＰｂのデータとして、ＰＣ用ウェブページＷＰａや携帯用ウェブページＷＰｂへのリンク情報Ｌｋと共にＨＤＤ３４０に格納する。本実施例では、検索用データ７３０と共に格納されるリンク情報Ｌｋは、インターネット５０上のＰＣ用ウェブページＷＰａや携帯用ウェブページＷＰｂの所在を示すＵＲＬ(Uniform Resource Locators)情報である。
【００３１】
（３）．クライアント４０から検索エンジン３０に対する検索要求：
クライアント４０は、ブラウザプログラムに従って、クライアント４０のユーザからの指示に基づいて検索エンジン３０にウェブページの検索を要求する。クライアント４０からの検索要求には、クライアント４０のユーザによって入力されたキーワードが含まれている。
【００３２】
（４）．検索エンジン３０による検索ページＷＰｒの作成：
クライアント４０から検索要求を受けた検索エンジン３０は、検索要求に含まれるキーワードを、ＨＤＤ３４０に記憶されている検索用データ７３０に照合することによって、キーワードに相応しい検索用データ７３０を特定し、特定された検索用データ７３０を用いて検索ページＷＰｒを作成する。検索ページＷＰｒには、特定された検索用データ７３０と共に格納されているリンク情報Ｌｋに加えて、検索用ウェブページＷＰｓが検索結果として組み込まれる。図３に示す検索ページＷＰｒの例では、店舗の地図や、店舗のロゴ，店舗名を示す画像を有する検索用ウェブページＷＰｓが、検索結果として組み込まれている。
【００３３】
（５）．検索エンジン３０からクライアント４０に対する検索ページＷＰｒの提供：
検索ページＷＰｒを作成した検索エンジン３０は、検索結果が組み込まれた検索ページＷＰｒをクライアント４０に提供する。検索ページＷＰｒを取得したクライアント４０は、画像表示部４２に検索ページＷＰｒを表示する。
【００３４】
（６）．クライアント４０からウェブサーバ２０に対するリンク情報Ｌｋによるウェブページの要求：
クライアント４０は、検索ページＷＰｒを表示した後、検索ページＷＰｒに組み込まれたリンク情報Ｌｋを指定するための入力をクライアント４０のユーザから受け取ると、指定されたリンク情報Ｌｋが示すリンク先のウェブサーバ２０にウェブページの提供を要求する。
【００３５】
（７）．ウェブサーバ２０によるウェブページの選択：
ウェブページの要求を受けたウェブサーバ２０は、ウェブページの要求と共に提示された要求元の素性を示す識別情報に基づいて、要求元がクライアント４０であるのか否かを判別する。クライアント４０の判別に用いる識別情報は、ＩＰアドレスやＭＡＣアドレスなどが考えられる。要求元がクライアント４０である場合には、ウェブサーバ２０は、要求元であるクライアント４０の画像表示機能に応じてＰＣ用ウェブページＷＰａおよび携帯用ウェブページＷＰｂのどちらか一方を選択する。本実施例では、クライアント４０が比較的に画像表示機能の高いデスクトップパソコンやノートパソコンであると判断される場合には、ウェブサーバ２０はＰＣ用ウェブページＷＰａを選択し、クライアント４０が比較的に画像表示機能の低い携帯電話やＤＰＡであると判断される場合には、ウェブサーバ２０は携帯用ウェブページＷＰｂを選択する。クライアント４０の画像表示機能の判断は、ＩＰアドレスやＭＡＣアドレスなどの所在情報に基づいて判断しても良いし、クライアント４０からの画像表示機能の提示を受けることによって判断しても良い。
【００３６】
（８）．ウェブサーバ２０からクライアント４０に対するウェブページの提供：
ウェブページの選択を行ったウェブサーバ２０は、選択されたウェブページをクライアント４０に提供する。ウェブサーバ２０からウェブページの提供を受けたクライアント４０は、提供されたウェブページをブラウザ機能によって画像表示部４２に表示する。
【００３７】
以上説明した本発明のネットワークシステムによれば、クライアント４０のユーザにウェブページとの関連性を認識させることが可能な画像データＧｓｐがウェブページの検索結果として検索ページＷＰｒに表示されるため、検索エンジンを利用したウェブページ検索の利便性を向上させることができる。
【００３８】
また、本発明のウェブサーバ２０は、検索エンジン３０からのウェブページの要求に対して検索用データ７３０を提供することとしたため、検索エンジン３０からの提供要求がＰＣ用ウェブページＷＰａや携帯用ウェブページＷＰｂの提供を要求するものであっても、要求されたウェブページの代わりに検索用ウェブページＷＰｓを検索エンジン３０に提供することができる。
【００３９】
また、本発明のウェブサーバ２０は、クライアント４０の画像表示機能に応じて提供するウェブページを選択することとしたため、クライアント４０の画像表示機能に適したウェブページをクライアント４０に提供することができる。
【００４０】
また、検索用ウェブページＷＰｓには、ウェブページを検索するためのキーワードとなるメタ登録情報Ｉｍｔが組み込まれているため、キーワードによる検索結果として検索用ウェブページＷＰｓが組み込まれた検索ページＷＰｒをクライアント４０に提供することができる。
【００４１】
Ｃ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。例えば、本実施例では、検索用データ７３０を検索エンジン３０に提供するために、ウェブページの要求元が検索エンジン３０であることをウェブサーバ２０側で判断することとしたが、ウェブサーバ２０が検索用データ７３０を記憶していることを検索エンジン３０側で判断して、検索エンジン３０からウェブサーバ２０に対して検索用データ７３０の提供を要求することとしても良い。これによって、検索用ウェブページＷＰｓの提供を検索エンジン３０からウェブサーバ２０に対して積極的に要求することができる。なお、ウェブサーバ２０が検索用データ７３０を記憶していることを検索エンジン３０側で判断するために、検索用データ７３０を記憶しているウェブサーバ２０のリストを検索エンジン３０のＨＤＤ３４０に用意しても良いし、検索用データ７３０を記憶しているか否かを検索エンジン３０からウェブサーバ２０に問い合わせることとしても良い。
【００４２】
また、本実施例では、検索用ウェブページＷＰｓに組み込まれている画像データＧｓｐは、ＰＣ用ウェブページＷＰａや携帯用ウェブページＷＰｂに組み込まれているものを用いることとしたが、検索ページＷＰｒに組み込まれた際にＰＣ用ウェブページＷＰａや携帯用ウェブページＷＰｂとの関連性をクライアント４０のユーザに認識させることが可能な画像データであれば良く、検索用ウェブページＷＰｓのために専用に作成された画像データであっても良い。また、検索用ウェブページＷＰｓは、検索ページＷＰｒに組み込まれた際に縮小されることを考慮した表示領域の大きさで作成しておいても良い。また、本実施例では、クライアント４０に提供されるウェブページは、ＰＣ用ウェブページＷＰａおよび携帯用ウェブページＷＰｂの２種類としたが、クライアント４０の画像表示機能に因らずに単一のウェブページを提供することとしても良いし、クライアント４０の画像表示機能に応じて２種類以上のウェブページを用意することとしても良い。また、検索用ウェブページＷＰｓに組み込まれている画像データＧｓｐは、ウェブページに掲載される内容に関連する画像であれば良く、地図，ロゴ，商店名に限らず、設計図，レシピ，肖像，写真など種々のものを採用することができる。
【図面の簡単な説明】
【００４３】
【図１】ネットワークシステム１０の構成を示す説明図である。
【図２】ウェブサーバ２０のＨＤＤ２４０に記憶されているウェブページのデータの構成を示す説明図である。
【図３】ネットワークシステム１０の動作を示す説明図である。
【符号の説明】
【００４４】
１０...ネットワークシステム
２０...ウェブサーバ
３０...検索エンジン
４０...クライアント
４２...画像表示部
４５...基地局
５０...インターネット
２１０...ＣＰＵ
２２０...ＲＯＭ
２３０...ＲＡＭ
２４０...ＨＤＤ
２５０...Ｉ／Ｆ
３１０...ＣＰＵ
３２０...ＲＯＭ
３３０...ＲＡＭ
３４０...ＨＤＤ
３５０...Ｉ／Ｆ
７００...ウェブサイトフォルダ
７１０...ＰＣ用データ
７２０...携帯用データ
７３０...検索用データ
ＷＰａ...ＰＣ用ウェブページ
ＷＰｂ...携帯用ウェブページ
ＷＰｓ...検索用ウェブページ
ＷＰｒ...検索ページ
Ｇｓｐ...画像データ
Ｉｍｔ...メタ登録情報
Ｌｋ...リンク情報
【図１】
2007072893.tif 000003
【図２】
2007072893.tif 000004
【図３】
2007072893.tif 000005